(57)【要約】【課題】  表示画像を補正し、表示部の設置環境によらない適切な画像を表示させる。【解決手段】  入力画像データ１００の表示色を補正した補正データに基づく画像を表示部２に表示させる色補正システム１であって、表示部２の周囲の色情報である周囲色情報２００を検出する周囲色検出手段１０と、周囲色情報２００に基づいて入力画像データ１００の表示色の補正に必要なパラメーター１０５を演算するパラメーター演算手段１５と、を備える。【選択図】  図１
2011188167.tif 000002
【特許請求の範囲】
【請求項１】
入力画像データの表示色を補正した補正データに基づく画像を表示部に表示させるための色補正システムであって、
前記表示部の周囲の色情報である周囲色情報を検出する周囲色検出手段と、
前記周囲色情報に基づいて前記入力画像データの表示色の補正に必要なパラメーターを演算するパラメーター演算手段と、
を備える色補正システム。
【請求項２】
請求項１に記載の色補正システムにおいて、
前記表示部とその周囲との距離である周囲距離情報を検出する距離検出手段を備え、
前記パラメーター演算手段は、
前記周囲色情報および前記周囲距離情報に基づいて前記パラメーターを演算する色補正システム。
【請求項３】
請求項２に記載の色補正システムにおいて、
前記距離検出手段は、
前記表示部とその周囲とを含む画像に基づいて、前記周囲距離情報を検出する色補正システム。
【請求項４】
請求項１乃至３のいずれかに記載の色補正システムにおいて、
撮像部を備え、
前記撮像部は、
ユーザーが所定の操作を行うことにより、前記表示部とその周囲とを含む画像である周囲検出用画像を撮影し、
前記周囲色検出手段は、
前記周囲検出用画像に基づいて前記周囲色情報を検出し、
前記パラメーター演算手段は、
少なくとも前記周囲色情報に基づいて前記パラメーターを演算する色補正システム。
【請求項５】
請求項４に記載の色補正システムにおいて、
少なくとも前記撮像部、前記周囲色検出手段、および前記パラメーター演算手段はリモコンに設けられている色補正システム。
【請求項６】
請求項１乃至４のいずれかに記載の色補正システムにおいて、
少なくとも色情報を含む表示部の外枠の情報を記憶する記憶手段を備え、
前記パラメーター演算手段は、
前記外枠の情報にも基づいて前記パラメーターを演算する色補正システム。
【請求項７】
入力画像データの表示色を補正した補正データに基づく画像を表示部に表示させるための色補正システムであって、
前記表示部の外枠の情報に基づいて前記入力画像データの表示色の補正に必要なパラメーターを演算するパラメーター演算手段を備える色補正システム。
【請求項８】
請求項７に記載の色補正システムにおいて、
少なくとも色情報を含む前記外枠の情報を記憶する記憶手段を備え、
前記パラメーター演算手段は、
前記外枠の情報に基づいて前記パラメーターを演算する色補正システム。
【請求項９】
請求項７に記載の色補正システムにおいて、
少なくとも色情報を含む前記外枠の情報に対応した選択入力手段を備え、
前記パラメーター演算手段は、
前記外枠の情報に基づいて前記パラメーターを演算する色補正システム。
【請求項１０】
請求項１乃至９のいずれかに記載の色補正システムにおいて、
前記パラメーターに基づいて前記補正データを作成する色補正手段を備える色補正システム。
【請求項１１】
請求項１０に記載の色補正システムにおいて、
ユーザーの選択を受け付け、複数の前記補正データである候補データ群から前記ユーザーの選択に基づいて一の前記補正データを表示部に表示させる表示制御手段を備え、
前記色補正手段において、
前記候補データ群を作成する色補正システム。
【請求項１２】
入力画像データの表示色を補正した補正データに基づく画像を表示部に表示させるための色補正方法であって、
前記表示部の周囲の色情報である周囲色情報を検出するステップと、
前記周囲色情報に基づいて前記入力画像データの表示色の補正に必要なパラメーターを演算するステップと、
前記パラメーターに基づいて前記補正データを作成するステップと、
を含む色補正方法。
【発明の詳細な説明】
【技術分野】
【０００１】
本発明は、色補正システムおよび色補正方法等に関する。
【背景技術】
【０００２】
人の目の生理的機能として色順応や明暗順応がある。例えば、太陽光（色温度は約５５００Ｋ）の下で白く見える物体を、電球色の照明光（色温度は約３０００Ｋ）の下で見ると最初は赤みを帯びるが、時間が経過すると白く見えるようになる。これは色順応の一例である。また、例えば、暗い映画館に入ったとき、最初は足下も見えないが徐々に周囲が見えてくるようになる。これは、明暗順応の一例である。
【０００３】
前記の目の生理的機能により、景色等を撮影して後日にその撮影画像を見た場合に、撮影者は画像に対して記憶にある景色と異なる印象を受ける場合がある。この印象の不一致を解消するため、例えば、特許文献１の発明に係る撮像装置は、撮影時の光源に応じて色順応を考慮したホワイトバランス調整を行い、見た目と同じ色の画像を取得する。
【０００４】
しかし、そのように取得した画像であっても、表示部前段で表示画像の色を補正するシステム（以下、色補正システムとも表現する）が、生理的機能に対応した補正処理を行わなければ、撮影時における見た目通りの映像をユーザー（表示部等の利用者、視聴者）に伝えることはできない。なぜならば、表示部はその設置場所によって照明の色や照度が異なり、これらの要素はユーザーの色順応や明暗順応に影響を与えるからである。
【０００５】
そこで、近年のテレビ（表示部および色補正システムの一例）の中には、タイマーや輝度センサーを有するものがある。例えば、タイマーにより日中であるか、夕刻であるか等を判断して表示画像の色温度を調整して色順応を考慮した補正を行うものがある。また、輝度センサーにより照度の変化を判断し、表示画像の明るさを調整して明暗順応を考慮した補正を行うものもある。
【先行技術文献】
【特許文献】
【０００６】
【特許文献１】特開２００６−６０６５０号公報
【発明の概要】
【発明が解決しようとする課題】
【０００７】
しかし、表示部が設置された場所の照明の色や照度以外にも、人の目の生理的機能に作用して、ユーザーが見る画像に感覚的な影響を及ぼす要素がある。例えば、背景となる壁の色が原因で色順応が生じるだけでなく、壁の色と表示画像とで明度対比の影響が生じる可能性がある。また、テレビなどの画像表示装置においては、外枠と表示画像とで明度対比の影響が生じる可能性がある。ここで、明度対比は目の生理的機能の一つであり、明度の異なる２色を並べた場合に、明るい色はより明るく、暗い色はより暗く見えることを言う。
【０００８】
例えば、図１２（Ａ）のテスト画像１０００では、グラデーション（左方が黒で右方が白）が施された背景に、同色の４枚の正方形が３組配置されている。第１組は白色の４枚の正方形で、テスト画像１０００の上段に横一列に並べられている。第２組は薄い灰色で、同様に中段に横一列に並べられている。第３組は濃い灰色で、下段に横一列に並べられている。例えば、第２組（中段）の最も左の正方形と、最も右の正方形を比較すると、同色であるにもかかわらず、最も右の正方形の色が濃く感じられる。また、第１組（上段）では、左端の正方形がより白く見え、第３組（下段）では、右端の正方形の灰色はより濃く感じられる。これが、明度対比の一例である。
【０００９】
明度対比の影響がある場合には、例えば輝度センサー等により照度の変化を判断し、色補正システムによって表示部に表示される画像の明るさを調整したとしても、ユーザーは撮影時の見た目と同じ色の画像を感じているとは限らない。
【００１０】
また、表示部が常に壁を背景にしているとは限らないため、表示部の周囲の色（以下、周囲色と表現する）が一律でない場合もあり得る。例えば、白色の壁の室内に配置されているが、表示部は黒の遮光カーテンの前に配置されており、ユーザーの視界には、表示部、黒のカーテン、白壁の全てが入る場合があり得る。この場合、表示画像との関係で明度対比を強く生じさせるのは、表示部により近い周囲色である。
【００１１】
例えば、図１２（Ｂ）のテスト画像１００１〜１００３は、図１２（Ａ）の第３組（下段）と同様に濃い灰色の正方形の見え方を確認するものである。テスト画像１００１〜１００３の正方形の色（濃い灰色）は全て同色である。テスト画像１００１は周囲色を黒とし、テスト画像１００３は周囲色を白とする。テスト画像１００１とテスト画像１００３を比較すると、明度対比の影響によりテスト画像１００３の正方形の灰色がより濃く見える。
【００１２】
ここで、テスト画像１００２は、濃い灰色の正方形に近い周囲色を黒とし、更にその外側の周囲色を白とする。このとき、テスト画像１００２の濃い灰色の正方形を見ると、白い周囲色も視界に入るが、より近い周囲色である黒の影響が大きいためにテスト画像１００３のように濃さが強調されることはない。つまり、テスト画像１００１と同様の濃さに見える。
【００１３】
周囲色が一様でなく、色補正システムが目の生理的機能に影響を与える周囲色を把握できない場合、ユーザーは撮影時の見た目と同じ色の画像を感じているとは限らない。
【００１４】
さらに、表示部の周囲色はモノクロと限らないため、彩度対比、色相対比、補色対比等の影響もあり得る。彩度対比とは、彩度の異なる２色を並べた場合に、彩度の高いあざやかな色はより明るく、彩度の低い濁った色はより濁って見えることを言う。色相対比とは、色相が異なる２色を並べた場合に、互いに他方の心理補色に近づいて見えることを言う。そして、補色対比とは、補色同士を並べると互いに彩度を強調し合いあざやかさが増すことを言う。これらの目の生理的機能についても、色補正システムが補正可能であることが望ましい。
【００１５】
本発明はこのような問題点に鑑みてなされたものである。本発明のいくつかの態様によれば、周囲色を検出する手段を備え、その情報に基づいて表示画像を補正する色補正システムを提供する。そして、表示部は、この色補正システムによって色補正された画像データ（以下、補正データとも表現する）に基づいて、その設置環境によらない適切な画像を表示することができる。
【課題を解決するための手段】
【００１６】
（１）本発明は、入力画像データの表示色を補正した補正データに基づく画像を表示部に表示させるための色補正システムであって、前記表示部の周囲の色情報である周囲色情報を検出する周囲色検出手段と、前記周囲色情報に基づいて前記入力画像データの表示色の補正に必要なパラメーターを演算するパラメーター演算手段と、を備える。
【００１７】
本発明によれば、パラメーター演算手段は周囲色検出手段によって検出された周囲色情報に基づいて入力画像データの補正に必要なパラメーターを演算する。明度対比等の目の生理的機能に影響を与えやすい周囲色情報に基づいて前記パラメーターを演算し、同パラメーターによって入力画像データの表示色は補正される。よって、表示部の設置環境によらない適切な画像を表示させることができる。
【００１８】
ここで、適切な画像とは、一つには画像の撮影者、作成者、送信者又は提供者等が伝えたい画質（例えば、色・イメージ）を有する画像である。例えば、臨場感を感じさせる画像、肉眼で見たように色合いの鮮やかさを感じさせる画像、心地よさを感じさせる画像等である。感覚的な表現では、画像の撮影者、作成者、送信者又は提供者等が意図する映像・イメージを視聴者に感じさせる画像等である。また、他の側面として、適切な画像とはユーザーにとって見やすい画質を有する画像である。例えば、見ていて疲れない画像、色合いが自然な画像等である。もちろん、これらの全て又はいくつかを備えている画像であってもよいし、更に他の要素（例えば、暗部の表現に優れること、輝度調整による低消費電力化やバックライトの長寿命化等）を含む画像であってもよい。
【００１９】
（２）この色補正システムにおいて、前記表示部とその周囲との距離である周囲距離情報を検出する距離検出手段を備え、前記パラメーター演算手段は、前記周囲色情報および前記周囲距離情報に基づいて前記パラメーターを演算してもよい。
【００２０】
本発明によれば、周囲の色が一様でない場合などに、周囲における特定の色が明度対比、彩度対比、色相対比、補色対比等を生じさせるか否かを表示部からの距離（周囲距離情報）も考慮してパラメーターを演算するので、より適切な画像を表示させることができる。このとき、距離検出手段は、表示部の周囲にある物体等までの距離を例えば光又は音波等を用いる方法により測定してもよい。また、距離検出手段は、受け取った情報に基づいて周囲にある物体等までの距離を計算で求めてもよい。この情報は、色補正システム内で取得されたものであっても、色補正システムの外部から入力されたものであってもよい。
【００２１】
（３）この色補正システムにおいて、前記距離検出手段は、前記表示部とその周囲とを含む画像に基づいて、前記周囲距離情報を検出してもよい。
【００２２】
本発明によれば、表示部とその周囲とを含む画像に基づいて、その画像上での座標等を用いて周囲距離情報を測定できるので、周囲距離情報の精度を高めることができる。なお、周囲距離情報の検出とは、測定だけでなく、周囲距離情報を計算で求めることも含まれる。
【００２３】
（４）この色補正システムにおいて、撮像部を備え、前記撮像部は、ユーザーが所定の操作を行うことにより、前記表示部とその周囲とを含む画像である周囲検出用画像を撮影し、前記周囲色検出手段は、前記周囲検出用画像に基づいて前記周囲色情報を検出し、前記パラメーター演算手段は、少なくとも前記周囲色情報に基づいて前記パラメーターを演算してもよい。
【００２４】
本発明によれば、例えばユーザーがボタンを押すなどの所定の操作によって、撮像部が周囲検出用画像を撮影する。よって、前記周囲色検出手段に対して、ユーザーが望むタイミングで取得した周囲検出用画像に基づいて前記周囲色情報を検出させることができる。これにより、周囲の環境が変化しても、色補正システムはすぐに対応することが可能になる。
【００２５】
（５）この色補正システムにおいて、少なくとも前記撮像部、前記周囲色検出手段、および前記パラメーター演算手段はリモコンに設けられていてもよい。
【００２６】
本発明によれば、撮像部はリモコンに設けられているため、ユーザー視点で表示部とその周囲とを含む画像を撮影できる。よって、ユーザーが見た通りの画像を用いてパラメーターを演算することができるので、より適切な色補正を行うことができる。
【００２７】
（６）この色補正システムにおいて、少なくとも色情報を含む表示部の外枠の情報を記憶する記憶手段を備え、前記パラメーター演算手段は、前記外枠の情報にも基づいて前記パラメーターを演算してもよい。
【００２８】
本発明によれば、表示画像に近接し、明度対比、彩度対比、色相対比、補色対比等に影響を与える可能性の高い表示部の外枠の情報を用いて効果的な色補正を行うことができる。このとき、表示部の外枠に関する情報のうち、製造時に決定している色情報などは予め記憶手段に保存しておくことができるので、周囲検出用画像などから抽出する必要はなく、同情報に基づく色補正を直ちに行うことができる。
【００２９】
（７）本発明は、入力画像データの表示色を補正した補正データに基づく画像を表示部に表示させるための色補正システムであって、前記表示部の外枠の情報に基づいて前記入力画像データの表示色の補正に必要なパラメーターを演算するパラメーター演算手段を備える。
【００３０】
本発明によれば、表示画像に近接し、明度対比、彩度対比、色相対比、補色対比等に影響を与える可能性の高い表示部の外枠の情報のみを用いて効果的な色補正に必要なパラメーターを演算することができる。例えば、外枠の色や幅などが画一的なデザインの製品においては、外枠の情報は一意に定まる。このような場合、パラメーター演算手段はこの固定化した外枠の情報を用いて演算を行えばよい。そして、このような情報は製品出荷時において組み込むことが可能である。
【００３１】
（８）この色補正システムにおいて、少なくとも色情報を含む前記外枠の情報を記憶する記憶手段を備え、前記パラメーター演算手段は、前記外枠の情報に基づいて前記パラメーターを演算してもよい。
【００３２】
本発明も、表示画像に近接し、明度対比、彩度対比、色相対比、補色対比等に影響を与える可能性の高い表示部の外枠の情報のみを用いて効果的な色補正に必要なパラメーターを演算することができる。表示部を含む製品の外枠の色がバリエーションを持つ場合でも、その情報は予め記憶手段に保存されているため、別途周囲検出用画像等を取得せずとも適したパラメーターを演算することが可能である。
【００３３】
（９）この色補正システムにおいて、少なくとも色情報を含む前記外枠の情報に対応した選択入力手段を備え、前記パラメーター演算手段は、前記外枠の情報に基づいて前記パラメーターを演算してもよい。
【００３４】
本発明も、表示画像に近接し、明度対比、彩度対比、色相対比、補色対比等に影響を与える可能性の高い表示部の外枠の情報のみを用いて効果的な色補正に必要なパラメーターを演算することができる。表示部を含む製品の外枠の色がバリエーションを持つ場合でも、その情報はディップスイッチなどの選択入力手段によってパラメーター演算手段に伝えられる。よって、別途周囲検出用画像等を取得せずとも適したパラメーターを演算することが可能である。
【００３５】
（１０）この色補正システムにおいて、前記パラメーターに基づいて前記補正データを作成する色補正手段を備えていてもよい。
【００３６】
本発明によれば、明度対比等の目の生理的機能に影響を与えやすい周囲色情報に基づいて入力画像データの表示色が補正されるので、表示部の設置環境によらない適切な画像を表示させることができる。
【００３７】
（１１）この色補正システムにおいて、ユーザーの選択を受け付け、複数の前記補正データである候補データ群から前記ユーザーの選択に基づいて一の前記補正データを表示部に表示させる表示制御手段を備え、前記色補正手段において、前記候補データ群を作成してもよい。
【００３８】
本発明によれば、表示制御手段により、ユーザーは複数の補正データの中から表示画像を選択できる。人間の目の生理的機能には個人差があるが、選択肢を用意することにより、ユーザーが好む画像を表示することができる。
【００３９】
（１２）本発明は、入力画像データの表示色を補正した補正データに基づく画像を表示部に表示させるための色補正方法であって、前記表示部の周囲の色情報である周囲色情報を検出するステップと、前記周囲色情報に基づいて前記入力画像データの表示色の補正に必要なパラメーターを演算するステップと、前記パラメーターに基づいて前記補正データを作成するステップと、を含む。
【００４０】
本発明によれば、検出された周囲色情報に基づいて入力画像データを補正する。明度対比等の目の生理的機能に影響を与えやすい周囲色情報に基づいて色補正を行うので、表示部の設置環境によらない適切な画像を表示させることができる。
【図面の簡単な説明】
【００４１】
【図１】第１実施形態における色補正システムのブロック図。
【図２】図２（Ａ）は第１実施形態の具体例であるテレビの使用環境を示す図。図２（Ｂ）は第１実施形態の例であるテレビの背面図。
【図３】第２実施形態における色補正システムのブロック図。
【図４】第２実施形態の変形例における色補正システムのブロック図。
【図５】図５（Ａ）〜図５（Ｂ）は第２実施形態の具体例であるテレビとその周囲を含む画像の図。
【図６】第３実施形態における色補正システムのブロック図。
【図７】第３実施形態における色補正システムの具体例であるテレビの選択画面を示す図。
【図８】第４実施形態における色補正システムのブロック図。
【図９】第４実施形態の変形例における色補正システムのブロック図。
【図１０】図１０（Ａ）はいずれかの実施形態における色補正システムを含むプロジェクターを示す図。図１０（Ｂ）はいずれかの実施形態における色補正システムを含むプリンターを示す図。
【図１１】第１実施形態における色補正システムに対応する色補正方法を示すフローチャート。
【図１２】図１２（Ａ）〜図１２（Ｂ）は明度対比のテスト画像の図。
【発明を実施するための形態】
【００４２】
以下、本発明の実施形態について図面を参照して説明する。
【００４３】
本発明に係る色補正システムは、以下の実施形態での具体例に限るものではない。本発明に係る色補正システムは、テレビ、携帯小型端末、電子書籍や電子ポスターなどの様々な電子機器の一部であってもよい。さらに、表示部は、最終的に表示画像がユーザーに視認されるまでに、本発明に係る色補正システムが補正した色情報を前記表示画像に反映することができるものであればよい。なぜならば、適切な画像を提供するという課題解決のためには、表示部はテレビやディスプレイ等の電子表示デバイスに限られないからである。よって、以下の説明において表示部は広義に解釈されるべきである。例えば、壁に映し出されたプロジェクターの映像も、プリンターによって印刷された紙媒体の画像も表示部に含まれるとしてよい。つまり、本発明に係る色補正システムは、プロジェクターやプリンターの一部であってもよい。
【００４４】
また、本発明に係る色補正システムにおける情報処理は、ＣＰＵ等を用いて具体的に実現されるソフトウェアによる処理であってもよい。すなわち、周囲色検出手段、パラメーター演算手段、色補正手段、距離検出手段等としてコンピューターを機能させるプログラムにより、本発明に係る色補正システムにおける情報処理が行われてもよい。
【００４５】
１．第１実施形態
本発明の第１実施形態について図１〜図２を参照して説明する。
【００４６】
図１は、本実施形態の色補正システム１のブロック図である。色補正システム１は、入力画像データ１００の表示色を補正した画像を表示部２に表示させる。色補正システム１は、周囲色検出手段１０とパラメーター演算手段１５と色補正手段１１とを含む。
【００４７】
周囲色検出手段１０は、表示部２の周囲の色情報である周囲色情報２００を検出する。ここで、周囲とはユーザーから表示部２を見た場合に視野に入る表示部２以外の映像をいう。周囲とはユーザーから見て表示部２の背景を指す場合もある。しかし、ユーザーから表示部２を含む正面の映像を平面的に、すなわち奥行きを考慮せずに捉えた場合には、周囲とは表示部２の前景も含むことになる。すなわち、周囲とは、ユーザーの視点で表示部２の背景、または、背景と前景を合わせた映像を指す。よって、周囲色とは、表示部２の背景の色、または、背景と前景を合わせた映像の色を指す。
【００４８】
パラメーター演算手段１５は、色補正手段１１で行う補正に必要なパラメーター１０５を周囲色情報２００に基づいて演算する。パラメーター１０５として必要な情報が色補正手段１１に渡されるので、色補正手段１１の処理の負担が軽減される。また、例えば、物理的にパラメーター演算手段１５と色補正手段１１とが離れて配置されていても、パラメーター１０５だけを伝送すればよいので、周囲色情報２００をそのまま伝送するような場合に比べてデータ量が少なくて済む。
【００４９】
色補正手段１１は、パラメーター１０５に基づいて、入力画像データ１００の表示色を補正した補正データ１０１を作成する。色補正システム１は、表示部２に補正データ１０１に基づく画像を表示させる。なお、色補正手段１１は、色補正システム１の外部にあってもよい。
【００５０】
ここで、色補正システム１の具体例としては、テレビ受像機（以下、テレビという）がある。テレビは、番組などを入力画像データ１００受信し、その内部にデータの色補正システム１を含み、画像を表示する液晶等の表示部２を有する。以下、本実施形態の色補正システム１はテレビの一部であるとして説明する。
【００５１】
色補正手段１１は、入力画像データ１００の表示色を補正するが、補正対象は画素値でもよいし、輝度、彩度などを決定する様々なパラメーターであってよい。例えば、画素値はＹＵＶやＲＧＢ形式等で表現された画像の各画素が有する数値を指す。また、例えば、パラメーターには、明るさ、色の濃さ（カラーゲイン）、色温度（ホワイトバランス）やシャープネス等がある。明るさに関しては、ガンマ調整や液晶テレビの場合のバックライト調整を含んでもよい。
【００５２】
色補正手段１１は、明度対比の影響を打ち消すように表示画像の明るさや色温度を調整してもよい。また、色補正手段１１は、彩度対比、色相対比、補色対比の影響を打ち消すようにカラーゲインやシャープネスを調整してもよい。
【００５３】
図２（Ａ）は、本実施形態の色補正システム１を含むテレビ８１０が使用される環境を示す図である。テレビの設置環境は一律ではなく、テレビ８１０は壁８１１、窓８１２やカーテン８１３の前に配置されることもある。また、室内ライト８１４や観葉植物８１５が置かれる場合もある。これらの要素はテレビ８１０からの距離にも依存するが、人の目の生理的機能によってテレビ８１０に表示される画像に影響を与える可能性がある。また、壁８１１の色もテレビ８１０に表示する画像に影響を与える。例えば、壁８１１が白色であるならば、テレビ８１０の表示画像の黒い部分が明度対比のためにより黒く見えやすい。逆に、壁８１１が黒色に近ければ、表示画像の白い部分がより白く見えやすい。
【００５４】
図２（Ｂ）は、本実施形態の色補正システム１を含むテレビ８１０の背面図である。図２（Ｂ）のように、例えば背面に設けられたカメラ等の撮像装置８１６の撮影画像が周囲色検出手段１０に入力されてもよい。撮像装置８１６は、画像表示部２としての機能も有するテレビ８１０の背景を撮影し、周囲色検出手段１０は撮影した画像から周囲色情報２００を取得することができる。本実施形態は、テレビ８１０の前部の室内ライト８１４や観葉植物８１５が十分離れて配置され、テレビ８１０の背面に配置された要素が周囲色として支配的である場合に有効な構成である。このとき、色補正システム１はテレビの電源がオンになったとき、予め設定した時刻になったときなど特定のイベントに連動して、ユーザーの特別な操作を必要とすることなく周囲色情報２００を得ることができる。
【００５５】
例えば、撮像装置８１６が一定時間ごとに周囲色情報２００を更新した場合には、カーテン８１３のように、テレビ８１０の背景となり得る物の色情報を正確に把握できる。昼間は壁８１１の色が周囲色情報２００の主要な要素であるが、カーテン８１３が使用される夜間はカーテン８１３の色が周囲色情報２００の主要な要素となる場合にも、正確な情報をパラメーター演算手段１５に出力することができる。
【００５６】
また、撮像装置８１６は照度を測ってもよい。撮像装置８１６は撮像素子だけではなく、輝度センサーも含んでいてもよい。この場合、室内ライト８１４を使用した時の壁８１１の色、室内ライト８１４を使用していない時の壁８１１の色や窓８１２から入る光の影響などを周囲色情報２００に反映することができる。
【００５７】
本実施形態の色補正システム１では、表示部２（すなわち、テレビ８１０）の背景色を検出して周囲色情報２００とし、同情報に基づいてパラメーター演算手段１５が色補正に必要なパラメーターの演算を行う。そして、色補正手段１１がパラメーター１０５に基づいて入力画像データ１００の色の補正を行う。テレビ８１０の背面にある撮像装置８１６の映像を用いて周囲色情報２００を得るため、テレビ８１０の前景の情報は含まれないが、ユーザーに特別な操作を要求せずに周囲色に応じた適切な色補正を行うことができる。
【００５８】
２．第２実施形態
本発明の第２実施形態について図３〜図５を参照して説明する。なお、第１実施形態と同様の構成については、同一符号を付して説明を省略し、主として相違点について説明する。
【００５９】
図３は、本実施形態の色補正システム１Ａのブロック図である。色補正システム１Ａは、第１実施形態の構成に加えて距離検出手段１２を含む。パラメーター演算手段１５は、周囲色情報２００だけでなく、距離検出手段１２からの周囲距離情報２０１にも基づいて入力画像データ１００の色の補正に必要なパラメーター１０５を演算する。
【００６０】
距離検出手段１２は、例えば表示部２とその周囲とを含む画像に基づいて、周囲の一部分における表示画面からの距離（周囲距離情報）を測定する。ここで、周囲の一部分とは図２（Ａ）のカーテン８１３や観葉植物８１５の葉部のように壁８１１とは異なった色を有する領域でもよい。周囲距離情報は、表示画像にユーザーの目の生理的機能の影響が生じるか否かを判断するのに用いられる。また、前記の壁８１１とは異なった色を有する領域が複数ある場合には、どの領域が表示画像にユーザーの目の生理的機能の影響を発生させるかを、周囲距離情報に基づいて判断することが可能である。
【００６１】
図４は、本実施形態の変形例である色補正システム１Ｂのブロック図である。本実施形態は、表示部２とその周囲とを含む画像に基づいて周囲距離情報を測定する距離検出手段１２を含む。
【００６２】
色補正システム１Ｂは、撮像部１９を含む。撮像部１９は、撮影要求信号４００に基づいて表示部２とその周囲とを含む画像を撮影する。そして、周囲色検出手段１０は撮像部１９が撮影した周囲検出用画像４０２を受け取る。また、距離検出手段１２も撮像部１９が撮影した周囲検出用画像４０３を受け取る。なお、周囲検出用画像４０２と周囲検出用画像４０３は同一の画像でもよいし、それぞれ周囲色検出手段１０、距離検出手段１２における処理に都合のよい異なる画像であってもよい。
【００６３】
例えば、撮像部１９はリモコンの一部であってもよい。その場合には、ユーザーの視点での表示部２とその周囲とを含む画像を撮影することが可能である。よって、ユーザーの見え方を反映した画像に基づいてより正確な色補正を行うことができる。また、例えば撮影要求信号４００はリモコンのボタンと連動していてもよい。この場合、ユーザーは表示部２とその周囲とを含む画像を、自分が望むタイミングで取得することができる。
【００６４】
さらに、図４の点線で示された範囲３０に含まれる撮像部１９、周囲色検出手段１０、パラメーター演算手段機能１５はリモコンに設けられていてもよい。このとき、距離検出手段１２がリモコン３０に設けられていてもよい。この場合リモコンは演算機能を有しており、パラメーター１０５だけを、例えばテレビ本体にある色補正手段１１に送信してもよい。処理を分散することにより、色補正システム１Ｂの全体としての効率を高めることが可能となる。
【００６５】
また、撮像部１９は、リモコンに限らず別の機器等に設けられていてもよい。例えば、撮像部１９はカメラの一部であってもよい。カメラはその内部に撮像部１９を含み、周囲検出用画像４０２、４０３をメモリーカードに一時保存する。そして、周囲色検出手段１０や距離検出手段１２は、メモリーカード経由で周囲検出用画像４０２、４０３を受け取ってもよい。また、メモリーカード経由ではなく周囲検出用画像を伝送するケーブルを経由してもよい。さらに、ケーブルではなくインターネットが利用されてもよい。もしカメラがその内部に周囲色検出手段１０、距離検出手段１２、パラメーター演算手段１５も含む場合には、周囲検出用画像の代わりに例えばパラメーター１０５等が受け渡されてもよい。
【００６６】
また、図４から距離検出手段１２を省略した構成も取り得る。周囲色検出手段１０は、撮像部１９によって取得した周囲検出用画像に基づいて表示部２の周囲の色情報である周囲色情報２００だけを検出してもよい。図４から距離検出手段１２を省略した構成は、ユーザーの視点での表示部２とその周囲とを含む画像に基づいて色補正したいが、周囲距離情報までは考慮する必要がない簡易的な色補正システムに適している。
【００６７】
図５（Ａ）は、図４の本実施形態の変形例において、撮像部１９が取得した周囲検出用画像４０２又は４０３の例を示す図である。この画像には、テレビ８１０、背景の壁８１１、カーテン８１３と観葉植物８１５が写っている。背景の壁８１１は、図２（Ａ）の室内ライト８１４の影響で、左上側が明るく右下側が暗いグラデーションを有している。
【００６８】
この図５（Ａ）の周囲検出用画像４０２、４０３に基づいて、周囲色検出手段１０はテレビ８１０の周囲色情報２００を取得してパラメーター演算手段１５へ出力する。しかし、テレビ８１０の周囲には複数の物が配置されている。そのため、パラメーター演算手段１５は、どの物の色が表示画像に影響を及ぼすかを判断するデータも取得することが望ましい。距離検出手段１２は、例えば、周囲検出用画像４０３上での水平方向の距離を測ってもよい。周囲の物又は色が水平軸に沿ってテレビ８１０からどれだけ離れているかを示す周囲距離情報２０１を測定し、パラメーター演算手段１５へ出力する。
【００６９】
図５（Ａ）の例では、パラメーター演算手段１５はテレビ８１０の右側では、カーテン８１３までの距離Ｄ２が観葉植物８１５の距離Ｄ３よりも近いために、カーテン８１３の色が出力画像に影響を与えやすいと判断することができる。例えばカーテン８１３の色が赤の場合、表示画像の右側の緑には補色対比が生じやすいため彩度を抑えて表示する等の色補正をしてもよい。また、図５（Ａ）の例では、パラメーター演算手段１５はテレビ８１０の左側では、画像の端からずっと壁８１１のみが存在する（Ｄ１）。ここで、例えば室内ライト８１４の影響で壁８１１が白色に近い灰色であるとすると、表示画像の左側の黒には明度対比が生じやすい。そこで、パラメーター演算手段１５は、表示画像の左側の黒について輝度を上げる等の色補正がされるようにパラメーターを生成してもよい。なお、ここでは水平方向の周囲距離情報２１０について例示したが、パラメーター演算手段１５は垂直方向に関しても同様の判断を行ってよい。
【００７０】
図５（Ｂ）は、図５（Ａ）と同じ周囲検出用画像４０２、４０３について、周囲色検出手段１０と距離検出手段１２が周囲色情報２００と周囲距離情報２０１を測る別の方法の例である。図５（Ｂ）のように、テレビ８１０の表示画面を中心として近い順に、ＺＯＮＥ１、ＺＯＮＥ２、ＺＯＮＥ３のように領域を定め、各領域での周囲色情報２００等を取得してもよい。距離検出手段１２は、前記領域の数や範囲を周囲検出用画像毎に定めてもよい。なお、周囲色検出手段１０と距離検出手段１２は図外の内部信号を用いて連係して周囲色情報２００と周囲距離情報２０１を取得してもよい。パラメーター演算手段１５は、各領域に対して重み付けを行ってパラメーターを生成してもよい。
【００７１】
３．第３実施形態
本発明の第３実施形態について図６〜図７を参照して説明する。なお、第１実施形態又は第２実施形態と同様の構成については、同一符号を付して説明を省略し、主として相違点について説明する。
【００７２】
図６は、本実施形態の色補正システム１Ｃのブロック図である。色補正システム１Ｃは、第２実施形態の構成に加えて表示制御手段１７を含む。表示制御手段１７には、ユーザーから入力選択信号３００が入力される。本実施形態では、色補正手段１１は表示制御手段１７に対して複数の補正データである候補データ群１０２を出力する。色補正手段１１は、パラメーター１０５を派生させて候補データ群１０２を生成してもよい。また、色補正手段１１は、複数の補正データに対応したパラメーター１０５を受け取り、候補データ群１０２を生成してもよい。そして、表示制御手段１７は、候補データ群１０２のサムネイル画像を表示部２に表示させたり、ユーザーが入力選択信号３００によって選択した一の補正データに基づく画像を表示部２に表示させたりする。本実施形態によれば、第１実施形態又は第２実施形態と異なり、複数の候補データの中からユーザーが好みの画像を選択することができる。なお、表示制御手段１７からの出力データ１０３は、ユーザーが一の画像を選択するまではサムネイルデータであって、選択後は選択された補正データであってもよい。
【００７３】
ここで、人の目の生理的機能は個人差があり一律な処理が難しい場合がある。色補正手段１１は、例えば過去の統計データを、色補色システム内外の記憶部等から、またはネットワーク経由で取得して、周囲色情報２００や周囲距離情報２０１に基づいて適切な色補正を行うことが可能である。しかし、ユーザーの個人的嗜好や前記個人差を考慮するならば、ユーザーに最終的な出力画像を選択させる余地を持たせる方が、色補正システムとして好ましい。
【００７４】
図７は、色補正システム１Ｃを含むテレビ８１０における選択画面の具体例である。第１のサムネイル８１７、第２のサムネイル８１８はそれぞれ、色補正手段１１からの候補データ群１０２の各画像データに基づく表示である。この選択画面において、候補は２つとは限らないし、表示の仕方も図７の例と異なってもよい。選択カーソル８１９は、ユーザーからの入力選択信号３００に基づいて、現在は第１のサムネイル８１７を選択していることを示している。ユーザーからの入力選択信号３００は例えばテレビ８１０のリモコンが有するボタンに連動してもよい。
【００７５】
ここで、例えば第１のサムネイル８１７は、統計データにおける全被験者の傾向に従って得られた補正データに基づく画像のサムネイルであってもよい。例えば第２のサムネイル８１８は、統計データにおけるユーザーと同年代、同性、同視聴環境などの特定対象者の傾向に従って得られた補正データに基づく画像のサムネイルであってもよい。そして、ユーザーが選択肢の一つを例えばリモコンの決定ボタン等を使って選択すると、選択された補正データに基づく画像が全画面表示されてもよい。本実施形態の色補正システム１Ｃによると、表示制御手段１７を備えることにより、複数の補正された画像の選択肢からユーザーが一つを選択するというインタラクティブな機能を実現することができる。
【００７６】
４．第４実施形態
本発明の第４実施形態について図７〜図９を参照して説明する。なお、第１〜第３実施形態と同様の構成については、同一符号を付して説明を省略し、主として相違点について説明する。
【００７７】
図７のテレビ８１０において、表示画面の周りには外枠８２０Ａ〜８２０Ｄが存在する。これは、テレビ８１０に限らず、強度を得るために、一般の表示装置は表示部分の周りに外枠を有している。
【００７８】
ここで、前記外枠の色は表示画像と無関係な単一色である場合が多く、表示画像に明度対比、彩度対比、色相対比、補色対比等の影響を与える可能性がある。また、表示画像に最も近いため、外枠８２０Ａ〜８２０Ｄの幅がユーザーにとって無視できるほどに狭い場合を除き、前記影響を与える可能性が高い。そこで、本実施形態では、外枠の色や幅などの情報である外枠情報を考慮して色補正を行う。
【００７９】
図８は、本実施形態の色補正システム１Ｄのブロック図である。色補正システム１Ｄは、外枠情報２０２を記憶する記憶手段２１を含む。記憶手段２１は、例えばＲＯＭやフラッシュメモリー等のメモリーでもよいが、これらに限らない。外枠情報２０２は、例えば色補正システム１Ｄを含む電子機器（例えばテレビ）の製造時や出荷時に記憶手段２１に書き込まれることが好ましい。しかし、製造後又は出荷後に書き込まれてもよい。色補正手段１１は、第３実施例のように周囲色情報２００や周囲距離情報２０１だけを用いるのでなく、外枠情報２０２にも基づいて色補正を行う。これにより、出力画像に影響を与える可能性の高い外枠情報を考慮した色補正を行うことができる。
【００８０】
図９は、本実施形態の変形例である色補正システム１Ｅのブロック図である。この変形例は、簡易で廉価な色補正システムを実現する。外枠の色は表示画像に最も近い周囲色となり得るため、これが人の目の生理的機能に対して最も影響を及ぼし、他の背景等の色は比較的影響が少ないと考えることもできる。この場合、図９のような、周囲色検出手段１０や距離検出手段１２を省略したシステムの構成があり得る。
【００８１】
色補正システム１Ｅは、選択入力手段２２からの外枠情報２０２Ａだけに基づいて、パラメーター演算手段１５がパラメーター１０５を演算する。ここで、選択入力手段２２は少なくとも色情報を含む外枠の情報に対応して設定される。例えば、選択入力手段２２はディップスイッチであり、表示部２を含む製品の製造時や出荷時に、外枠の色にあわせて値が設定されてもよい。選択入力手段２２に応じて、例えば外枠の色が黒ならば外枠情報２０２Ａの値が０となり、白ならば２０２Ａの値が１となってもよい。
【００８２】
この変形例において、選択入力手段２２の代わりに図８の記憶手段２１を用いてもよい。さらに、例えば表示部２を含む製品の外枠が１種類しかないような場合には、色補正システム１Ｅは選択入力手段２２や他の記憶手段２１を含まない構成であってもよい。すなわち特段の情報を要する事なく、パラメーター１０５の生成、又は補正データ１０１の生成が行われてもよい。また、別の例として、必要な外枠情報、パラメーター１０５がインターネット経由で取得されてもよい。
【００８３】
この変形例では、撮像装置８１６や撮像部１９は不要になるので、廉価な色補正システムを構成できる。
【００８４】
５．電子機器
本発明の第１〜第４実施形態のいずれかの色補正システムを含む、テレビ以外の電子機器の例を図１０（Ａ）、図１０（Ｂ）を参照にして説明する。
【００８５】
図１０（Ａ）は、プロジェクターの図である。プロジェクターの画像は白色のスクリーンのみならず壁面に投影される場合も多い。この場合、投影画像は壁面の色によって全体的な影響（例えば、投影画像の輝度への影響）を受けるほか、人の目の生理的機能による影響も受け得る。
【００８６】
例えば、図１０（Ａ）の左図では、プロジェクター８２１Ａは白色の壁８２２Ａに映像を投影し、図１０（Ａ）の右図では、プロジェクター８２１Ｂはプロジェクター８２１Ａと全く同一の映像を濃い灰色の壁８２２Ｂに投影している。このような場合に、例えば、壁８２２Ｂに投影された画像の白い部分は、明度対比の影響でより白っぽく見えるかもしれない。このような場合に、第１〜第４の実施形態のいずれかの色補正システムによって、色補正を行えば、濃い灰色の壁８２２Ｂに投影する場合でも、白色の壁８２２Ａに投影するのと同様のイメージ等を視聴者に感じさせることができる。
【００８７】
図１０（Ｂ）は、プリンター８２３の図である。プリンター８２３で印刷されたポスター等の印刷物は、図１０（Ｂ）の左図のように白色の壁８２４Ａに貼付されることもあれば、図１０（Ｂ）の右図のように濃い灰色の壁８２４Ｂに貼付されることもある。この場合、印刷物の内容は全く同じであっても、人の目の生理的機能による影響を受けて、貼り付けた壁の色によってポスター等の画像の印象が異なる場合があり得る。そこで、例えば貼り付ける壁の色を周囲色情報としてプリンター８２３に入力し、プリンター８２３が有する第１〜第４の実施形態のいずれかの色補正システムによって色補正を行えばよい。色補正を行えば、濃い灰色の壁８２４Ｂに貼付する場合でも、白色の壁８２４Ａに貼付するのと同様のイメージ等を視聴者に感じさせることができる。
【００８８】
６．色補正方法
第１実施形態における色補正システム１に対応する色補正方法について図１１を参照して説明する。なお、この色補正方法は、色補正回路のようなハードウェアによって実現されてもよいし、ソフトウェア（コンピュータープログラム）によって実現されてもよい。
【００８９】
図１１は、前記色補正方法を示すフローチャートである。まず、色補正システムは周囲色情報を検出する（Ｓ１）。そして、周囲色情報に基づいて入力画像データの表示色の補正に必要なパラメーターを演算する（Ｓ２）。その後、前記パラメーターに基づいて前記補正データを作成する（Ｓ３）。このようにして補正されたデータ（補正データ）は、表示部２によって表示される。
【００９０】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００９１】
１…色補正システム、１Ａ…色補正システム、１Ｂ…色補正システム、１Ｃ…色補正システム、１Ｄ…色補正システム、１Ｅ…色補正システム、２…表示部、１０…周囲色検出手段、１１…色補正手段、１２…距離検出手段、１５…パラメーター演算手段、１７…表示制御手段、１９…撮像部、２１…記憶手段、２２…選択入力手段、３０…リモコン、１００…入力画像データ、１０１…補正データ、１０２…候補データ群、１０３…出力データ、１０５…パラメーター、２００…周囲色情報、２０１…周囲距離情報、２０２…外枠情報、２０２Ａ…外枠情報、３００…入力選択信号、４００…撮影要求信号、４０２…周囲検出用画像、４０３…周囲検出用画像、８１０…テレビ受像機、８１１…壁、８１２…窓、８１３…カーテン、８１４…室内ライト、８１５…観葉植物、８１６…撮像装置、８１７…第１のサムネイル、８１８…第２のサムネイル、８１９…選択カーソル、８２０Ａ〜８２０Ｄ…外枠、８２１Ａ〜８２１Ｂ…プロジェクター、８２２Ａ〜８２２Ｂ…壁、８２３…プリンター、８２４Ａ〜８２４Ｂ…壁、１０００〜１００３…テスト画像
【図１】
2011188167.tif 000003
【図３】
2011188167.tif 000004
【図４】
2011188167.tif 000005
【図６】
2011188167.tif 000006
【図８】
2011188167.tif 000007
【図９】
2011188167.tif 000008
【図１１】
2011188167.tif 000009
【図２】
2011188167.tif 000010
【図５】
2011188167.tif 000011
【図７】
2011188167.tif 000012
【図１０】
2011188167.tif 000013
【図１２】
2011188167.tif 000014